(57)【要約】【課題】採尿時に採尿用容器を把持する必要がなく、指がリムに触れるといった不都合を生じることがなく、便座の形状に関わらず使用することができる採尿器の提供。【解決手段】洋式トイレの便器のリムに係止する保持部と、該保持部に隣接する採尿部とを備えた採尿器において、保持部は、採尿部の一部から外方へ帯状に延設される上面保持部と、該上面保持部の先端側から下方へ延設される外面保持部とを備え、外面保持部には、外方へ反る摘み部を形成したことを特徴とする採尿器を、解決手段とする。【選択図】図５
2009288127.tif 000002
【特許請求の範囲】
【請求項１】
洋式トイレの便器のリムに係止する保持部と、該保持部に隣接する採尿部とを備えた採尿器において、保持部は、採尿部の一部から外方へ帯状に延設される上面保持部と、該上面保持部の先端側から下方へ延設される外面保持部とを備え、外面保持部には、外方へ反る摘み部を形成したことを特徴とする採尿器。
【請求項２】
柔軟性を有する合成樹脂材料からなることを特徴とする請求項１記載の採尿器。
【発明の詳細な説明】
【技術分野】
【０００１】
本発明は、洋式トイレでの使用に適した検尿等のための女性用の採尿器に関する。
【背景技術】
【０００２】
虚弱高齢者、或いは療養が必要な高齢者の全身状態の把握や腎疾患等に対して、尿検査が実施されることが多い。しかしながら、特に高齢や体力低下などが原因で下肢筋力が低下していたり、自分で起立状態が保てない女性の採尿は困難である。このため、尿量や尿性状の確認等の目的でバルーンカテーテルの挿入を余儀なくされ、尿意の低下や採尿時の動作能力の低下を招来することも多い。特に、要介護高齢者の場合、排尿と排便を同時に行うことが多く、トイレで尿のみの採取を困難にしている要因となっている。
【０００３】
このような点から、近年、より容易に採尿のみを行うことができる、採尿器が発明されている。例えば、紙製のホルダー部の先端側に、紙製の容器（カップ）を一体に取付けた構成を備えたものが公知である（例えば、特許文献１参照。）。ホルダーの後端側には、把手部が形成されており、当該把手部を指で把持して採尿する。
【０００４】
また、例えば、検査用排尿を収納する容器本体と、上記容器温帯の開口部から外方へ向かって突出して便器の側壁上に係止する支持体４と、容器本体の一部に設けられる注ぎ口とで構成してなる採尿器が公知である（例えば、特許文献２参照。）。
【０００５】
また、例えば、様式トイレの便器のリム（側壁上端面）のうち略半分を被覆する半円弧状の保持部（特許文献２における支持体４に相当する。）と、該保持部間に形成される採尿部と、前記被腹部の中央部から外方へ突出する把手部を備えた採尿器である（例えば、特許文献３参照）。
【０００６】
【特許文献１】意匠公報第１２２１５３２号公報
【特許文献２】実開平４−９０９５２号
【特許文献３】登録新案第３０８４５８０号公報
【発明の開示】
【発明が解決しようとする課題】
【０００７】
上記特許文献１に係る発明は、物品の美的外観として紙製のホルダー部の先端側に、紙製の容器（カップ）を一体に取り付けた構成を備えたものであるが、使用に際しては、ホルダーの後端側に形成された把手部を常に片手で把持しながら、採尿を行わなければならず、非常に面倒である。
【０００８】
特許文献２及び特許文献３に係る採尿器は、いずれも、便器のリムのうち略半分を被覆する半円弧状の保持部を備えている点で共通するものである。当該構成によって、常に把持部を片手で把持する必要がない利点を有する。一方、この半円弧状の保持部は非常に大きいため、取扱いが不便である。
【０００９】
また、上記のうち、特許文献２に係る採尿器は、便器へのセットは非常に容易であるものの、採尿後注ぎ口から尿を移すまでの間に行う便器からの取り外し操作が行い難い欠点がある。即ち、リムから支持体４を取り外す際に、リムを直接指で触りやすいため、衛生的に行うには、非常に慎重に行わなければならず、更に貯留された尿の重量によって、リムから支持体４を取り外すのにより力を要する。
このため、リムから支持体４を取り外す際に尿がこぼれたり、指がリムに触れるといった不都合を生じやすい欠点がある。
【００１０】
特許文献３に係る採尿器では、幅狭の把手部を有するが、把手部によって指が便器に触れ難い点でより衛生的に使用できる一方で、採尿時のセット状態において、把手が大きく張り出しており、便座を上げた状態で、集尿後に他物が不用意に当たると、尿をこぼしやすい欠点がある。
【００１１】
本発明は以上の事情に鑑みてなされたものであり、採尿時に採尿用容器を把持する必要がなく、且つ、特許文献２及び特許文献３に開示された採尿器よりも小型化し、採尿後の尿の取りこぼしや指がリムに触れるといった不都合を生じることがなく、便座の形状に関わらず使用することができる、優れた採尿用容器を提供することを、発明が解決しようとする課題とする。
【課題を解決するための手段】
【００１２】
洋式トイレの便器のリムに係止する保持部と、該保持部に隣接する採尿部とを備えた採尿器において、保持部は、採尿部の一部から外方へ帯状に延設される上面保持部と、該上面保持部の先端側から下方へ延設される外面保持部とを備え、外面保持部には、外方へ反る摘み部を形成したことを特徴とする採尿器を、課題を解決するための手段とする。
【発明の効果】
【００１３】
本発明によれば、保持部は、採尿部の一部から外方へ帯状に延設される上面保持部と、該上面保持部の先端側から下方へ延設される外面保持部とを備え、外面保持部には、外方へ反る摘み部を形成したことによって、保持部が、採尿器を設置するための掛止機能と、採尿器を取り外す際の把手部としての機能を兼備し、外面保持部の摘み部を摘むように把持することで、採尿後の重量が増加した採尿器を非常に簡単に持ち上げることができる。
【００１４】
また、特許文献２及び特許文献３の従来の採尿器では、取り外し時に指がリムに触れることが多かったが、本発明によれば、前記した外面保持部の摘み部を摘むように把持することによって、便器のリムに指が触れることもなく、衛生的に、リムから当該採尿器を取り外すことができる。
【００１５】
また、本発明は、特許文献３記載の採尿器のような把持部が大きく突出する構成ではないから、便座を上げた状態で、集尿後に他物が不用意に当たることが極めて少なく、当たったとしても、集尿部へ多大な力が作用せず、集尿器が大きく歪んだりすることがない。
【００１６】
そして、本発明によれば、保持部は、上面保持部と上面保持部の先端側から下方へ延設される外面保持部とを備えた構成であるため、便座の形状がＯ字状であっても、便座と保持部は干渉することがなく、便座の形状に関わらず使用することができる。
【００１７】
また、本発明は、特許文献２及び特許文献３に開示された採尿器のように便器のリムの半分程度を被覆するような大型の保持部を備えないので、幅寸法及び重量が低減でき、小型化することができる。
【００１８】
また、上記本発明の構成を備えた上で、採尿器の材質を、柔軟性を有する合成樹脂とすることによって、種々の便器のリムの形状や幅の大小等に適合し、確実にリムに係止させることができるので、汎用性の高い採尿器とすることができる。
【発明を実施するための最良の形態】
【００１９】
本発明は、洋式トイレの便器のリムに係止する保持部と、該保持部に隣接する採尿部とを備え、採尿器を片手で持ち続ける必要がない採尿器を前提として、保持部は、採尿部の一部から外方へ帯状に延設される上面保持部と、該上面保持部の先端側から下方へ延設される外面保持部とを備え、外面保持部の上下方向中央位置から下方に外側へ反った摘み部を形成し、更に、外面保持部は、上面保持部と略同幅の帯状とし、柔軟性を有する合成樹脂（例えば、ポリエチレン、ポリウレタン等）からなることとしたから、外面保持部の摘み部を摘むように把持することによって、便器のリムに指が触れることもなく、衛生的に、リムから当該採尿器を取り外すことができ、大型の保持部を備えないので、幅寸法及び重量が低減して小型化でき、柔軟性を有する合成樹脂とすることによって、種々の便器のリムの形状や幅の大小等に適合し、確実にリムに係止させることができる採用器を実現した。
【実施例】
【００２０】
図１は本発明の実施例に係る採尿器１の（ａ）正面図及び（ｂ）背面図、図２は同実施例に係る採尿器１の（ａ）右側面図及び（ｂ）平面図、図３は同実施例に係る採尿器１の（ａ）底面図及び（ｂ）図１のＡ−Ａ断面図である。図４は本発明の実施例に係る採尿器１を便器４のリム４０に取付けた状態を示す参考図、図５は本発明の実施例に係る採尿器１を便器４のリム４０に取着し平面視Ｕ字状の便座４１を配置した状態を示す説明図、図６は本発明の実施例に係る採尿器１を、平面視Ｕ字形の便座４１を有する便器４に取付けた状態を示す参考断面図、図７は同実施例に係る採尿器を取り外す際に、摘み部３１０を指で摘んだ状態を示す参考断面図、図８は本発明の実施例に係る採尿器１を便器４のリム４０に取着し平面視Ｏ字形の便座４１を配置した状態を示す説明図、図９は本発明の実施例に係る採尿器１を、平面視Ｏ字形の便座４１を有する便器４に取付けた状態を示す参考断面図である。尚、採尿器１の左側面図は右側面図と対称につき省略している。
【００２１】
本発明の実施例に係る採尿器１は、長さ約２２０ｍｍ、幅約２２０ｍｍ、高さ約１２０ｍｍの大きさで厚さ約４ｍｍ程度となる低密度ポリエチレン製の採尿器１である。重量は約１９０ｇであり、非常に軽量なものとしてある。図１乃至図４に示すように、採尿部２と該採尿部２の側面上縁から外方へ延設される保持部３からなる。
【００２２】
採尿部２は、平面視概ね丸みを帯びた三角形状で、その中央部近傍に内底面２２を形成した椀状体である。
【００２３】
保持部３は、全長７０ｍｍ程度、幅６５ｍｍ程度の帯状の上面保持部３０と、該上面保持部３０の先端側から下方へ同幅で延設される外面保持部３１とからなる。外面保持部３１は把手としての機能を備えており、外面保持部のうち上下方向中央位置より下側は全体的に外方へ反らせて、把持しやすい摘み部３１０を形成してある。また、上面保持部３０は、その基端側が前記採尿部２の側面上縁から延設された構成である。
【００２４】
図４に示すように、便器４への設置は便座４１を上げた状態で、リム４０に直接取付ける。リム４０への取付けは、保持部３の外面保持部３１と、上面保持部３０と、採尿部２における外周面２０のうち保持部３の基端の結合位置から下方となる外側面当接部２３とによって、リム４０を挟み込んだ状態で掛止する。即ち、保持部３の外面保持部３１はリム４０の外側面に当接し、保持部３の上面保持部３０はリム４０の上面に当接し、採尿部２の外側面当接部２３はリム４０の外側面に当接する。リム４０への設置後、図５に示すように、リム４０上へ便座４１を被せた状態で、採尿を行うことができる。
【００２５】
リム４０の上に便座４１を被せた状態においては、便座４１の形状が平面視Ｕ字形であれば、図６に示すように、便座４１と上面保持部３０は殆ど干渉しない。一方、図７に示す便座４１の形状が平面視Ｏ字形のものであれば、図８のように、上面保持部３０上に便座４１が重なるが、上面保持部３０が帯状であること、及び採尿器１が、保持部３の外面保持部３１と、上面保持部３０と、採尿部２における外周面２０のうち保持部３の基端の結合位置から下方となる外側面当接部２３とによって、リム４０を挟み込んだ状態で掛止しており、当該保持部３が柔軟性を有する合成樹脂であることから、便座４１の形状が平面視Ｏ字形のものであっても、何らの不都合を生じることなく使用することができ、便座で押圧されて変形しても、自ずと元の状態に復元できる。
【００２６】
採尿後においては、便座４１を上方へ移動させ、採尿器１の外面保持部３１における摘み部３１０を摘むように把持することで、当該採尿器１を持ち上げることができる。
【００２７】
また、本実施例に係る採尿器１は、上記したように、柔軟性を有する合成樹脂を用いており、採尿後、余剰の尿を廃棄した後に、採尿器１の外面保持部３１における上下方向中央位置から下方に外側へ反って形成される摘み部３１０を摘むように把持した状態で、流水、消毒剤等を用いて洗浄を行うことができる。
【００２８】
尚、本発明は上記実施例に限定されるものではなく、例えば、採尿器１の帯状の上面保持部３０と外面保持部３１には、指で摘む際の操作性を考慮して、適宜起伏を設けることができる。また、摘み部３１０は必ずしも上下方向中央位置から下方となる位置のみに形成するものではなく、例えば、上下方向中央位置よりも上方の位置から形成することもできる。
【００２９】
また、本実施例においては、底部はやや傾斜した形状としているが、底面を水平面として、該底面に、例えばリブ状に突出した台座を形成し、載置時の安定性を確保することもできる。
【００３０】
更に、本発明においては、他の実施例に係る採尿器として図１０に示すように、採尿器１の採尿部２の内面に内容量を示す目盛部２４を付することもできる。
【図面の簡単な説明】
【００３１】
【図１】本発明の実施例に係る採尿器の（ａ）正面図及び（ｂ）背面図である。
【図２】本発明の実施例に係る採尿器の（ａ）右側面図及び（ｂ）平面図である。
【図３】本発明の実施例に係る採尿器の（ａ）底面図及び（ｂ）図１のＡ−Ａ断面図である。
【図４】本発明の実施例に係る採尿器を便器のリムに取付けた状態を示す参考図である。
【図５】本発明の実施例に係る採尿器を便器のリムに取着し平面視Ｕ字状の便座を配置した状態を示す説明図である。
【図６】本発明の実施例に係る採尿器を、平面視Ｕ字形の便座を有する便器に取付けた状態を示す参考断面図である。
【図７】本発明の実施例に係る採尿器を取り外す際に、摘み部３１０を指で摘んだ状態を示す参考断面図である。
【図８】本発明の実施例に係る採尿器を便器のリムに取着し平面視Ｏ字形の便座を配置した状態を示す説明図である。
【図９】本発明の実施例に係る採尿器を、平面視Ｏ字形の便座を有する便器に取り付けた状態を示す参考断面図である。
【図１０】本発明の他の実施例に係る採尿器を示す縦断面図である。
【符号の説明】
【００３２】
１        採尿器
２        採尿部
２０      外周面
２２      内底面
２３      外側面当接部
２４      目盛部
３        保持部
３０      上面保持部
３１      外面保持部
３１０    摘み部
４        便器
４０      リム
４１      便座
【図１】
2009288127.tif 000003
【図２】
2009288127.tif 000004
【図３】
2009288127.tif 000005
【図４】
2009288127.tif 000006
【図５】
2009288127.tif 000007
【図６】
2009288127.tif 000008
【図７】
2009288127.tif 000009
【図８】
2009288127.tif 000010
【図９】
2009288127.tif 000011
【図１０】
2009288127.tif 000012